(57)【要約】【課題】つなぎ合わせ部分の強度を高めることができる嵌合式建材パネルを提案する。【解決手段】嵌合式建材パネルの下継手を、パネル本体の短尺縁部の全域にわたって面一状態でつながる板状体と、該板状体の後端部でパネル本体の水下側に向けて折り返され、水上側に隣接配置する他の嵌合式建材パネルの上継手に引っ掛け可能な二重以上の折り返し構造からなる引っ掛け片とを有するもので構成し、上継手を、パネル本体に面一状態で一体連結する第一の板状体と、該第一の板状体の先端部でパネル本体の水上側に向けて折り返され、水下側に隣接配置する他の嵌合式建材パネルの下継手に引っ掛け可能な二重以上の折り返し構造からなる第一の引っ掛け片とを有するもので構成する。【選択図】  図１
2020200748.tif 000002
【特許請求の範囲】
【請求項１】
長手方向に沿って伸延する一対の長尺縁部とこれら各長尺縁部を挟み込み幅方向に沿って伸延する一対の短尺縁部とによって区画された輪郭形状を有するパネル本体と、該パネル本体の各短尺縁部にそれぞれ設けられた下継手、上継手と、該パネル本体の各長尺縁部のそれぞれに沿って一体連結する上ハゼ、下ハゼとを備え、該下継手を、該パネル本体の水上側に隣接配置する他の嵌合式建材パネルの上継手に嵌合、引っ掛け、該上継手を、該パネル本体の水下側に隣接配置する他の嵌合式建材パネルの下継手に嵌合、引っ掛けてパネル同士を縦方向に接続する一方、該上ハゼ、下ハゼを、隣接配置する別の嵌合式建材パネルの下ハゼ、上ハゼにそれぞれ嵌合させてパネル同士を横方向に接続して建築構造物の屋根、壁を構築する嵌合式建材パネルであって、
前記下継手は、該パネル本体の短尺縁部の全域にわたって面一状態でつながる板状体と、該板状体の後端部でパネル本体の水下側に向けて折り返され、水上側に隣接配置する他の嵌合式建材パネルの上継手に引っ掛け可能な二重以上の折り返し構造からなる引っ掛け片とを有し、
前記上継手は、該パネル本体に面一状態で一体連結する第一の板状体と、該第一の板状体の先端部でパネル本体の水上側に向けて折り返され、水下側に隣接配置する他の嵌合式建材パネルの下継手に引っ掛け可能な二重以上の折り返し構造からなる第一の引っ掛け片とを有することを特徴とする嵌合式建材パネル。
【請求項２】
前記下継手の引っ掛け片、前記上継手の第一の引っ掛け片は、それぞれ、折り返し構造の内部に別途に用意された少なくとも一枚の金属板を有することを特徴とする請求項１に記載した嵌合式建材パネル。
【請求項３】
前記下継手は、前記板状体の幅方向の端縁および該上ハゼの端部につながるとともに水上側に隣接配置する他の嵌合式建材パネルの上ハゼに嵌合可能な第一のハゼと、該板状体のもう一方の幅方向の縁部および該下ハゼの端部につながるとともに水上側に隣接配置する他の嵌合式建材パネルの下ハゼに嵌合可能な第二のハゼとを有し、
前記上継手は、前記第一の板状体の幅方向の各端部および前記上ハゼ、下ハゼにそれぞれ面一状態で一体連結する第三のハゼ、第四のハゼとを有することを特徴とする請求項１または２に記載した嵌合式建材パネル。
【請求項４】
前記引っ掛け片は、板状体から切り離され、該板状体の上面において固定保持されたものであることを特徴とする請求項１〜３のいずれか１項に記載した嵌合式建材パネル。
【請求項５】
前記引っ掛け片は、板状体の上面に配置されるベースと、該ベースに片持ち状態でつながる舌片からなることを特徴とする請求項４に記載した嵌合式建材パネル。
【請求項６】
前記板状体は、パネル本体の短尺縁部に段差を介してつながるものであることを特徴とする請求項１〜５のいずれか１項に記載した嵌合式建材パネル。
【発明の詳細な説明】
【技術分野】
【０００１】
本発明は、一般住宅や事務所、マンション、福祉施設、リゾート施設等の屋根や壁を構築するのに用いて好適な、嵌合式建材パネルに関するものである。
【背景技術】
【０００２】
嵌合式の建材パネルは、従来、屋根材として広く用いられており、パネル本体の幅方向の端部に設けられた上ハゼ、下ハゼを、隣接配置する他の建材パネルの下ハゼ、上ハゼにそれぞれ嵌合させることによりパネル同士をつなぎ合わせる施工が行われてきている。しかし、近年では、さらに、パネル本体の長手方向に上継手、下継手を設け、水下側、水上側に隣接配置される建材パネルとの相互間で上継手、下継手をそれぞれ相互に嵌合させてパネル同士をつなぎ合わせる構造の建材パネルも開発されてきており、この点に関する先行技術としては、例えば、特許文献１が参照される。
【０００３】
ところで、上記従来の建材パネルは、強風の吹き込みや過大な負圧が作用した場合に、パネルのつなぎ合わせ部分で変形を引き起こすことがないとはいえず未だ改善の余地が残されている。
【先行技術文献】
【特許文献】
【０００４】
【特許文献１】特開２０１６−２０５１２０号公報
【発明の概要】
【発明が解決しようとする課題】
【０００５】
本発明の目的は、上継手、下継手の強化を図り、つなぎ合わせ部分での変形を確実に回避し得る嵌合式建材パネルを提案するところにある。
【課題を解決するための手段】
【０００６】
本発明は、長手方向に沿って伸延する一対の長尺縁部とこれら各長尺縁部を挟み込み幅方向に沿って伸延する一対の短尺縁部とによって区画された輪郭形状を有するパネル本体と、該パネル本体の各短尺縁部にそれぞれ設けられた下継手、上継手と、該パネル本体の各長尺縁部のそれぞれに沿って一体連結する上ハゼ、下ハゼとを備え、該下継手を、該パネル本体の水上側に隣接配置する他の嵌合式建材パネルの上継手に嵌合、引っ掛け、該上継手を、該パネル本体の水下側に隣接配置する他の嵌合式建材パネルの下継手に嵌合、引っ掛けてパネル同士を縦方向に接続する一方、該上ハゼ、下ハゼを、隣接配置する別の嵌合式建材パネルの下ハゼ、上ハゼにそれぞれ嵌合させてパネル同士を横方向に接続して建築構造物の屋根、壁を構築する嵌合式建材パネルであって、前記下継手は、該パネル本体の短尺縁部の全域にわたって面一状態でつながる板状体と、該板状体の後端部でパネル本体の水下側に向けて折り返され、水上側に隣接配置する他の嵌合式建材パネルの上継手に引っ掛け可能な二重以上の折り返し構造からなる引っ掛け片とを有し、前記上継手は、該パネル本体に面一状態で一体連結する第一の板状体と、該第一の板状体の先端部でパネル本体の水上側に向けて折り返され、水下側に隣接配置する他の嵌合式建材パネルの下継手に引っ掛け可能な二重以上の折り返し構造からなる第一の引っ掛け片とを有することを特徴とする嵌合式建材パネルである。
【０００７】
上記の構成からなる嵌合式建材パネルにおいて、前記下継手の引っ掛け片、前記上継手の第一の引っ掛け片は、それぞれ、折り返し構造の内部に別途に用意された少なくとも一枚の金属板を有するものとするのが好ましく、また、前記下継手は、前記板状体の幅方向の端縁および該上ハゼの端部につながるとともに水上側に隣接配置する他の嵌合式建材パネルの上ハゼに嵌合可能な第一のハゼと、該板状体のもう一方の幅方向の縁部および該下ハゼの端部につながるとともに水上側に隣接配置する他の嵌合式建材パネルの下ハゼに嵌合可能な第二のハゼとを有し、前記上継手は、前記第一の板状体の幅方向の各端部および前記上ハゼ、下ハゼにそれぞれ面一状態で一体連結する第三のハゼ、第四のハゼとを有することが望ましい。
【０００８】
また、上記の構成からなる嵌合式建材パネルにおいて、前記引っ掛け片は、板状体から切り離され、該板状体の上面において固定保持されたものであること、前記引っ掛け片は、板状体の上面に配置されるベースと、該ベースに片持ち状態でつながる舌片からなること、さらに、前記板状体は、パネル本体の端部に段差を介してつながるものであること、が課題解決のための手段として好ましい。
【発明の効果】
【０００９】
本発明によれば、下継手の板状体に設けられた引っ掛け片および上継手の第一の板状体に設けられた引っ掛け片をそれぞれ二重以上の折り返し構造としたため、その部位の強度を高めることが可能となり、強風が吹き込んだり過大な負圧が作用しても建材パネルが簡単に変形することがない。
【００１０】
また、本発明によれば、下継手の引っ掛け片、上継手の第一の引っ掛け片の折り返し構造の内部に別途に用意された少なくとも一枚の金属板を配置することにより嵌合式建材パネルの耐風圧強度、耐風圧性能をより一層改善することができる。
【００１１】
また、本発明によれば、板状体を、パネル本体の端部に段差を介してつながるものとすることにより、建材パネルのパネル本体同士がフラットな状態でつながるため、屋根や壁の美観が高められる。
【図面の簡単な説明】
【００１２】
【図１】本発明にしたがう嵌合式建材パネルの実施の形態をその全体について示した外観斜視図である。
【図２】（ａ）は、図１のＡ−Ａ断面を拡大して示した図であり、（ｂ）は、図１のＢ−Ｂ断面を示した図である。
【図３】図１のＣ−Ｃ断面を示した図である。
【図４】図１に示した嵌合式建材パネルを下継手側から見た外観斜視図である。
【図５】本発明にしたがう嵌合式建材パネルの他の実施の形態を一部分について示した外観斜視図である。
【図６】本発明にしたがう嵌合式建材パネルのつなぎ合わせ状況の説明図である。
【図７】本発明にしたがう嵌合式建材パネルのつなぎ合わせ状況の説明図である。
【図８】本発明にしたがう嵌合式建材パネルのつなぎ合わせ状況の説明図である。
【図９】（ａ）（ｂ）は、本発明にしたがう嵌合式建材パネルの他の実施の形態を、下継手、上継手の断面について示した図である。
【図１０】本発明にしたがう嵌合式建材パネルのさらに他の実施の形態を、下継手について示した外観斜視図である。
【図１１】図１０のＤ−Ｄ断面を拡大して示した図である。
【図１２】本発明にしたがう嵌合式建材パネルの他の実施の形態を、下継手について示した外観斜視図である。
【図１３】図１２のＥ−Ｅ断面を拡大して示した図である。
【図１４】嵌合式建材パネルのつなぎ合わせ状態を要部について示した図である。
【図１５】引っ掛け片を板状体の上面に固定保持した固定構造の一例を示した図である。
【図１６】（ａ）〜（ｃ）は、リブの断面形状の変形例を示した図である。
【図１７】本発明にしたがう嵌合式建材パネルを上継手について示した外観斜視図である。
【発明を実施するための形態】
【００１３】
以下、図面を参照して、本発明をより具体的に説明する。図１は、本発明にしたがう嵌合式建材パネルの実施の形態をその全体について示した外観斜視図であり、図２（ａ）（ｂ）は、図１のＡ−Ａ断面、Ｂ−Ｂ断面をそれぞれ拡大して示した図であり、図３は、図１のＣ−Ｃ断面を示した図であり、図４は、本発明にしたがう嵌合式建材パネルを下継手側から見た外観斜視図である。
【００１４】
本発明にしたがう嵌合式建材パネルは、屋根を葺きあげる場合、壁を構築する場合のいずれにおいても、下継手が設けられた側を水上側に向け、上継手が設けられた側を水下側に向けて配置するものとする。
【００１５】
建築構造物の屋根、壁を構築するにあたっては、本発明にしたがう嵌合式建材パネルと同じ構成からなる嵌合式建材パネルを複数枚用いることを前提としており、隣接配置する他の嵌合式建材パネル、隣接配配置する別の嵌合式建材パネルについても本願発明にしたがう嵌合式建材パネルと同じ構成からなるものを用いる。また、嵌合式建材パネルを構成する素材としては、厚さ０．２〜１．０ｍｍ程度になる亜鉛めっき鋼板、アルミニウム亜鉛合金めっき鋼板、銅板、アルミニウム板、ステンレス鋼板あるいは、それらの塗装または被覆鋼板等を用いることができる。
【００１６】
図１〜４における符号１は、パネル本体である。パネル本体１は、長手方向に沿って伸延する一対の長尺縁部１ａ、１ｂと、これら長尺縁部１ａ、１ｂを挟み込み、幅方向に沿って伸延する一対の短尺縁部１ｃ、１ｄによって区画された、全体として矩形状をなす輪郭形状を有している。
【００１７】
また、符号２は、パネル本体１の長尺縁部１ａに一体連結するとともに、隣接配置する別の嵌合式建材パネルの下ハゼに嵌合してパネル同士を接続する上ハゼである。
【００１８】
上ハゼ２は、長尺縁部１ａから立ち上がる傾斜側板２ａと、この傾斜側板２ａの上端に係止顎部ｔ１を介してつながるとともに、桁方向に隣接配置する別の嵌合式建材パネルの下ハゼに嵌合可能な内部空間を有する先端先細り形状をなすドーム型の頭部２ｂと、この頭部２ｂに係止顎部ｔ２を介して垂下、保持され、傾斜側板２ａとの相互間にて下開き開口を形成する傾斜側板２ｃとから構成されている。上ハゼ２は、頭部２ｂの側壁に長尺縁部１ａに沿って延伸する凹部を設けることが可能であり、これにより、桁方向に隣接配置する別の嵌合式建材パネルの下ハゼに嵌合させた際に、その相互間で面接触するのを避けて雨水の侵入を防止することができるようになっている。
【００１９】
また、符号３は、パネル本体１の長尺縁部１ｂに一体連結するとともに、もう一方に隣接配置する別の建材パネルの下ハゼに嵌合してパネル同士を接続する下ハゼである。
【００２０】
この下ハゼ３は、長尺縁部１ｂから立ち上がる側板３ａと、この側板３ａの上端に係止顎部ｔ３を介してつながるとともに、隣接配置する別の嵌合式建材パネルの上ハゼに嵌合可能な先端先細り形状をなすドーム型の頭部３ｂと、この頭部３ｂに係止顎部ｔ４介して垂下、保持され、側板３ａとの相互間にて下開き開口を形成する側板３ｃと、この側板３ｃの下端に水平姿勢でもって一体的につながるビス止め片３ｄから構成されている。
【００２１】
係止顎部ｔ１と係止顎部ｔ２とは相互に逆向きに突出していて、両者でもって嵌合させたハゼの引き抜けを防止する。また、係止顎部ｔ３と係止顎部ｔ４とは、上記の係止顎部ｔ１、係止顎部ｔ２と同様に、相互に逆向きになっており、両者でもって嵌合させたハゼの引き抜けを防止する。
【００２２】
符号４は、パネル本体１の短尺縁部１ｃに設けられた下継手である。下継手４は、水上側に隣接配置する他の嵌合式建材パネルの上継手の下側において重ね合わさるものであって、パネル本体１の短尺縁部１ｃの全域にわたって面一状態でつながる板状体４ａと、該板状体４ａの後端部でパネル本体１の水下側に向けて折り返され、水上側に隣接配置する他の嵌合式建材パネルの上継手に引っ掛け可能な二重以上の折り返し構造からなる引っ掛け片４ｂと、該板状体４ａの幅方向の端縁および上ハゼ２の端部につながるとともに水上側に隣接配置する他の嵌合式建材パネルの上ハゼ（上継手の第三のハゼに相当するもの）に嵌合可能な第一のハゼ４ｃと、該板状体４ａのもう一方の幅方向の縁部および下ハゼ３の端部においてつながるとともに水上側に隣接配置する他の嵌合式建材パネルの下ハゼ（上継手の第四のハゼに相当するもの）に嵌合可能な第二のハゼ４ｄとから構成されている。第二のハゼ４ｄの下端には、下ハゼ３のビス止め片３ｄに同一平面でつながる舌片４ｅを設けておくことができる。
【００２３】
引っ掛け片４ｂは、ここでは、二重の折り返し構造からなるもの（図２（ａ）参照）としてその部位の強度を高める場合について示したが、該引っ掛け片４ｂは、三重以上の折り返し構造とすることも可能であり、図示のものに限定されない。
【００２４】
下継手４は、基本的には、ロール成形によりパネル本体１、上ハゼ２、下ハゼ３と同一断面形状に形成したのち、プレス成形による絞り加工を施すことによって成形される。
【００２５】
下継手４の幅寸法は、水上側に隣接配置する他の嵌合式建材パネルとのつなぎ合わせに際して相互に確実に重ね合わせることができるように、水上側に隣接配置する他の嵌合式建材パネルのパネル本体の幅寸法（実際には上継手の幅寸法）よりも若干広くしておくのが好ましい。
【００２６】
また、符号５は、パネル本体１のもう一方の短尺縁部１ｄに設けられた上継手（パネルの水下側に配置される）である。この上継手５は、パネル本体１と面一状態でつながり、水下側に隣接配置する他の嵌合式建材パネルの短尺縁部（下継手に相当する部分）の上側において重ね合わさるものである。
【００２７】
上継手５は、パネル本体１に面一状態で一体連結する第一の板状体５ａと、この第一の板状体５ａの先端部でパネル本体１の水上側に向けて折り返され、水下側に隣接配置する他の嵌合式建材パネルの下継手に引っ掛け可能な二重以上の折り返し構造からなる第一の引っ掛け片５ｂと、第一の板状体５ａの幅方向の各端部および上ハゼ２、下ハゼ３にそれぞれ面一状態で一体連結する第三のハゼ５ｃ、第四のハゼ５ｄとから構成されている。
【００２８】
第一の引っ掛け片５ｂは、第一の板状体５ａに対して１８０°曲げとなるように折り返しておくことができるものであって、ここでは、引っ掛け片４ｂと同様に二重の折り返し構造からなるもの（図２（ｂ）参照）としてその部位の強度を高める場合について示したが、該第一の引っ掛け片５ｂは、三重以上の折り返し構造とすることも可能であり、図示のものに限定されない。
【００２９】
上記の構成からなる嵌合式建材パネルは、下継手４の引っ掛け片４ｂおよび上継手５の第一の引っ掛け片５ｂは、いずれも少なくとも二重の折り返し構造からなっており、その部位の強度が高められているため強い風が吹き込んだり過大な負圧が作用しても簡単に変形することがない。
【００３０】
なお、本発明にしたがう嵌合式建材パネルは、図５に示すように、第一のハゼ４ｃ、第二のハゼ４ｄおよび引っ掛け片４ｂの外表面には、第一のハゼ４ｃから第二のハゼ４ｄに至るまでの間で連続的に伸延する止水用のパッキン６を設けることもでき、嵌合式建材パネル同士をつなぎ合わせた際にパッキン６を押し潰すことにより屋根あるいは壁の止水性を高めることが可能となる。
【００３１】
本発明にしたがう嵌合式建材パネルを用いて屋根を葺きあげる場合において、嵌合式建材パネルを梁間方向、すなわち、縦方向につなぎ合わせるには、まず、図６、図７に示すように、下継手４に水上側において隣接配置する他の嵌合式建材パネルの上継手５′の第一の引っ掛け片５ｂ′を下継手４の引っ掛け片４ｂに引っ掛けるとともに、下継手４の第一のハゼ４ｃを、水上側において隣接配置する他の嵌合式建材パネルの上継手５′の第三のハゼ５ｃ′に、また、下継手４の第二のハゼ４ｄを、該水上側において隣接配置する他の嵌合式建材パネルの上継手５′の第四のハゼ５ｄ′にそれぞれ嵌合させる一方、上継手５の第三のハゼ５ｃを、水下側において隣接配置する他の嵌合式建材パネルの下継手４′の第一のハゼ４ｃ′に、また、上継手５の第四のハゼ５ｄを、水下側において隣接配置する他の嵌合式建材パネルの下継手４′の第二のハゼ４ｄ′に嵌合させればよい。
【００３２】
また、本発明にしたがう嵌合式建材パネルを桁方向、すなわち、横方向につなぎ合わせるには、図８に示すように、下ハゼ３を、隣接配置する別の嵌合式建材パネルの上ハゼ２′′に嵌合させ、上ハゼ２を、隣接配置する別の嵌合式建材パネルの下ハゼ３′′に嵌合させればよく、この作業を、縦方向のつなぎ合わせ作業と並行して行うことにより建築構造物の屋根を葺きあげることができる。
【００３３】
建築構造物の壁を構築するに際しても、屋根を葺きあげる場合と同じ手順で建材パネルをつなぎ合わせればよい。
【００３４】
図９（ａ）（ｂ）は、本発明にしたがう嵌合式建材パネルの他の実施の形態を、下継手４、上継手５の断面について示した図である。下継手４の引っ掛け片４ｂ、上継手５の第一の引っ掛け片５ｂの折り返し構造の内部には、別途に用意した金属板７を配置することも可能であり、これにより耐風圧強度、耐風圧性能を一層高めることができる。なお、図９（ａ）（ｂ）には、金属板７を一枚配置したものを例として示したが、金属板７は、折り返し構造が複数の折り返し部分からなるものにあっては、折り返し部分の数に応じてその枚数を増やすことが可能であり、図示のものに限定されることはない。
【００３５】
図１０は、本発明にしたがう嵌合式建材パネルのさらに他の実施の形態を、下継手４について示した外観斜視図であり、図１１は、図１０のＤ−Ｄ断面を拡大して示した図である。この例は、引っ掛け片４ｂを、板状体４ａの上面に配置されるベース４ｂ１と、該ベース４ｂ１に片持ち状態でつながる舌片４ｂ２にて構成して引っ掛け片４ｂそのものを板状体４ａから切り離した構造のものである。
【００３６】
かかる下継手４においては、引っ掛け片４ｂを、カシメ接合やリベット接合、両面テープ、接着剤等により板状体４ａの上面に固定保持する作業が必要になるが、この場合にも、嵌合式建材パネル同士を強固につなぎ合わせることができる。
【００３７】
とくに、引っ掛け片４ｂを板状体４ａから切り離した構造とすることにより、板状体４ａの末端に設けられた水返しｗの前段に位置する一次止水部材として機能させることが可能となり、嵌合式建材パネルのつなぎ合わせ部分から雨水が侵入したとしても、侵入した雨水のほとんどは引っ掛け片４ｂで止水され、そこを乗り越えた雨水は、水返しｗで確実に止水されることになる（二次止水構造）。なお、この場合、引っ掛け片４ｂには、該引っ掛け片４ｂを乗り越えた雨水を速やかに軒側へと返すために水抜き孔を設けるのが好ましい。また、引っ掛け片４ｂは、舌片４ｂ２を二重の折り返し構造とすることができるが、引っ掛け片４ｂそのものの厚さを厚くすることが可能であり、引っ掛け片４ｂを折り返し構造としなくても建材パネルのつなぎ合わせ部分の強度を高めることができる利点もある。
【００３８】
本発明にしたがう嵌合式建材パネルとしては、板状体４ａが、パネル本体１の短尺縁部の全域において面一状態でつながるものの他、図１２、図１３に示すように、板状体４ａを、パネル本体１の短尺縁部１ｃに２〜３ｍｍ程度低くなる段差ｄを介してつなげてもよい。
【００３９】
板状体４ａを、パネル本体１の短尺縁部１ｃに段差ｄを介してつなげることより、図１４に示すように、嵌合式建材パネルのパネル本体１同士がフラットな状態でつなげることが可能となり屋根や壁の美観を高めることができるだけでなく、第一のハゼ４ｃと第三のハゼ５ｃ′との相互間、第二のハゼ４ｄと第四のハゼ５ｄ′との相互間に形成されがちな隙間をなくすことができ、雨仕舞がよくなる。
【００４０】
図１５は、板状体４ａに、上方へ向けて膨出し、かつ、該板状体４ａの幅方向に沿って伸びるリブ４ａ１を設け、引っ掛け片４ｂのベース４ｂ１に、該リブ４ａ１に嵌合する横長の凹所４ｂ３を設け、この部位で引っ掛け片４ｂを板状体４ａの上面に固定保持した固定構造の一例を示した図である。
【００４１】
かかる固定構造においては、凹所４ｂ３を形成する際に形成される背面凸部４ｂ４にて水上側に隣接配置される嵌合式建材パネルのパネル本体１を支持することができ、建材パネルのつなぎ合わせ姿勢がより安定化される。
【００４２】
リブ４ａ１は、幅方向に沿って連続的に伸びるものであってもよいし、断続的に伸びるものであってもよく、また、板状体４ａの長手方向に沿い複数設けることもできる。
【００４３】
また、リブ４ａ１の断面形状は、図示の形状に限定されるものではなく、例えば、図１６（ａ）〜（ｃ）に示すように、棟側部分が軒側部分に比較して低くなるような傾斜を付けた片台形状の断面を有するものや、三角形状の断面を有するものの他、半円形状あるいはドーム形を有するもの等を適用することができる。
【００４４】
建材パネルの上継手５については、図１７に示すように、第三のハゼ５ｃ、第四のハゼ５ｄの端面を、第一の引っ掛け片５ｂの先端よりも突出させ、第四のハゼ５ｄの端面に隣接するビス止め片３ａの一部分およびこのビス止め片３ａにつながる第四のハゼ５ｄの脚部の一部分を切り欠いて切欠き部ｃを形成しておくことも可能であり、これにより、建材パネルを幅方向につなぎ合わせる際、つなぎ合わせ作業をスムーズに行うことができる。
【００４５】
本発明にしたがう嵌合式建材パネルは、基本的には、上掲図７に示したように嵌合式建材パネルを長手方向につなぎ合わせる作業を先行して行い、次いで、上掲図８に示したように嵌合式建材パネルを幅方向につなぎ合わせる作業を繰り返し行うことによって屋根や壁を構築するが、第二のハゼ４ｄ、第一のハゼ４ｃ、第四のハゼ５ｄ、第三のハゼ５の嵌合サイズを、（第二のハゼ４ｄ）＜（第一のハゼ４ｃ）＜（第四のハゼ５ｄ）＜（第三のハゼ５）とすることにより、嵌合式建材パネルを幅方向につなぎ合わせる作業を、長手方向のつなぎ合わせ作業に先行して行うようにしてもよい。
【産業上の利用可能性】
【００４６】
本発明によれば、つなぎ合わせ部分の強度を高めることが可能な嵌合式建材パネルが提供できる。
【符号の説明】
【００４７】
１      パネル本体
１ａ    長尺縁部
１ｂ    長尺縁部
１ｃ    短尺縁部
１ｄ    短尺縁部
２      上ハゼ
２ａ    傾斜側板
２ｂ    頭部
２ｃ    傾斜側板
３      下ハゼ
３ａ    側板
３ｂ    頭部
３ｃ    側板
３ｄ    ビス止め片
４      下継手
４ａ    板状体
４ａ１  リブ
４ｂ    引っ掛け片
４ｂ１  ベース
４ｂ２  舌片
４ｃ    第一のハゼ
４ｄ    第二のハゼ
４ｅ    舌片
５      上継手
５ａ    第一の板状体
５ｂ    第一の引っ掛け片
５ｃ    第三のハゼ
５ｄ    第四のハゼ
６      パッキン
７      金属板
ｄ      段差
ｃ      切欠き部
【図１】
2020200748.tif 000003
【図２】
2020200748.tif 000004
【図３】
2020200748.tif 000005
【図４】
2020200748.tif 000006
【図５】
2020200748.tif 000007
【図６】
2020200748.tif 000008
【図７】
2020200748.tif 000009
【図８】
2020200748.tif 000010
【図９】
2020200748.tif 000011
【図１０】
2020200748.tif 000012
【図１１】
2020200748.tif 000013
【図１２】
2020200748.tif 000014
【図１３】
2020200748.tif 000015
【図１４】
2020200748.tif 000016
【図１５】
2020200748.tif 000017
【図１６】
2020200748.tif 000018
【図１７】
2020200748.tif 000019